(57)【要約】【課題】光学式記憶媒体ドライブ装置を許可なく使用できないように、該ドライブ装置に対して、簡単にはＣＤ、ＤＶＤ等の光学式記憶媒体を挿入・排出できないようにし、安全性を向上することを目的とする。【解決手段】光学式記憶媒体のディスクトレイをアンローディングするためのローディング機構制御回路に挿入された操作釦３により操作されるイジェクト（アンローディング）スイッチ２を有するパーソナルコンピュータに内蔵又は外付けされる光学式記憶媒体ドライブ装置において、一対のジャック端子４と一対の端子間を橋絡するプラグ式橋絡鍵５から成り、ローディング機構制御回路を機能させるための鍵スイッチ６を、イジェクト（アンローディング）スイッチ２と直列に設けた。【選択図】　　　図１
2004133791.tif 000002
【特許請求の範囲】
【請求項１】
光学式記憶媒体のディスクトレイをアンローディングするためのローディング機構制御回路に挿入された操作釦により操作されるイジェクト（アンローディング）スイッチを有するパーソナルコンピュータに内蔵又は外付けされる光学式記憶媒体ドライブ装置において、一対のジャック端子と一対の端子間を橋絡するプラグ式橋絡鍵から成り、ローディング機構制御回路を機能させるための鍵スイッチを、イジェクト（アンローディング）スイッチとは別に設けたことを特徴とするセキュリティロック機能付光学式記憶媒体ドライブ装置。
【請求項２】
請求項１に記載のセキュリティロック機能付光学式記憶媒体ドライブ装置において、鍵スイッチを、イジェクト（アンローディング）スイッチと直列に設けたことを特徴とするセキュリティロック機能付光学式記憶媒体ドライブ装置。
【請求項３】
請求項１又は請求項２に記載のセキュリティロック機能付光学式記憶媒体ドライブ装置において、鍵スイッチとイジェクト（アンローディング）スイッチを、光学式記憶媒体ドライブ装置本体の側部又は光学式記憶媒体ドライブ装置を内蔵するＰＣの側部に設けたことを特徴とするセキュリティロック機能付光学式記憶媒体ドライブ装置。
【請求項４】
請求項１乃至請求項３のいずれか１項に記載のセキュリティロック機能付光学式記憶媒体ドライブ装置において、鍵スイッチは、光学式記憶媒式体ドライブ装置ごとに異なる構造であることを特徴とするセキュリティロック機能付光学式記憶媒体ドライブ装置。
【発明の詳細な説明】
【０００１】
【発明の属する技術分野】
本発明は、光学式記憶媒体に情報を記録（記憶）し、また記録（記憶）されている情報を再生するための光学式記憶媒体ドライブ装置に関し、特に光学式記憶媒体ドライブ装置に対して記憶媒体を挿入及び排出するためのローディング機構にセキュリティロック機構を設けて、許可された者だけが使用できるようにしたセキュリティロック機能付光学式記憶媒体ドライブ装置に関する。
【０００２】
【従来の技術】
パーソナルコンピュータ（以下、単に「ＰＣ」と称する。）に内蔵又は外付けされる光学式記憶媒体ドライブ装置（以下、単に「ドライブ装置」と略称する。）においては、ＣＤ、ＤＶＤ等の光学式記憶媒体（以下、単に「記憶媒体」と略称する。）を挿入及び排出するために、ＣＤ又はＤＶＤ等の記憶媒体はディスクトレイに装填され、このディスクトレイがローディング機構により移動されてドライブ装置に対してローディング（挿入）又はアンローディング（排出）されるが、このローディング及びアンローディングの方式として、例えば次のようなものがある。
その１は、ローディングの際には、ドライブ装置外にディスクトレイを排出してこれに記憶媒体を装填し、記憶媒体を装填したディスクトレイを、手で、例えばアンローディングばねに抗して所定位置（記憶媒体が記録・再生可能位置）まで押し込むことによりローディング位置にロックされる。そしてアンローディングの際には、ドライブ装置に設けたイジェクト（アンローディング）操作釦を押すことにより電磁機構の制御回路のイジェクトスイッチをオンにし、電磁機構を動作させて前記のロックを解除し、前記蓄勢されているアンローディングばねのばね力によりディスクトレイを排出し、装填されている記憶媒体を取り出し、空になったディスクトレイを再び手で押し込んでドライブ装置内に挿入するようにしたものである。
またその２は、上記の方式におけるアンローディングばねに代えてローディングモータを用いたもので、アンローディングの際にはドライブ装置に設けたイジェクト操作釦を押し、ローディングモータの制御回路のイジェクトスイッチをオンにし、ローディングモータを駆動してディスクトレイを排出し、装填されている記憶媒体を取り出し、空になったディスクトレイを再び手で押し込んでドライブ装置内に挿入するようにしたものである。
【０００３】
なお以上において、アンローディングばね或いはローディングモータ及び電磁機構等のロック手段を含むものが、ディスクトレイをドライブ装置に対してアンローディングするためのローディング機構を構成し、またこのようなローディング機構を前述のように動作させるイジェクトスイッチ、モータ等を含むものが、ローディング機構制御回路を構成していることになる。
【０００４】
図３は、上記のその１及びその２の場合のドライブ装置のローディング機構制御回路の概念図を示し、図４はそのドライブ装置の概略の外観図を示す。
ディスクトレイをドライブ装置９から排出する際には、イジェクト操作釦（押釦）３を押してイジェクトスイッチ２をオンにすることにより、ローディング機構制御部１が機能し、ローディング機構が動作して、記憶媒体のディスクトレイがドライブ装置９の挿入・排出口８から排出される。
そしてディスクトレイをドライブ装置９に挿入する際には、この排出されたディスクトレイを手で押すことにより、ディスクトレイは所定位置（記憶媒体が記録・再生可能位置）まで移動する。
従って、次にディスクトレイをドライブ装置に挿入する際に、ディスクトレイに記憶媒体を装填しておけば、この記憶媒体はディスクトレイと共に所定位置まで移動することになり、記憶媒体が情報（音楽、映像等）を記録（記憶）したものである場合にはこれを再生することができる。
またドライブ装置がＰＣに内蔵されている場合には、ＰＣ内の固定記憶装置に記録（記憶）保存されている情報をコピー（記録）することができ、情報をコピー（記録）した記憶媒体は、イジェクト操作釦３を押し、イジェクトスイッチ２をオンにすることにより、外部に排出される。
【０００５】
このように、単にディスクトレイを手で押し、またイジェクト操作釦を押すだけで、記憶媒体をドライブ装置に対して挿入・排出できるために、ドライブ装置は誰でも自由に使用することができることになり、特にドライブ装置がＰＣに内蔵されている場合にはＰＣ内の固定記憶装置に記録（記憶）保存されている情報は、記憶容量の大きなＣＤ、ＤＶＤ等の光学式記憶媒体に容易にコピー（記録）でき、これを外部に運び出せることになる。
そしてこの情報が秘密性を帯びたものである場合には、秘密事項が簡単に外部に漏洩することになる。
【０００６】
【発明が解決しようとする課題】
本発明は、光学式記憶媒体ドライブ装置を許可なく使用できないように、該ドライブ装置に対して、簡単にはＣＤ、ＤＶＤ等の光学式記憶媒体を挿入・排出できないようにし、安全性を向上することを目的とする。
【０００７】
【課題を解決するための手段】
上記目的を達成するために、本発明のセキュリティロック機能付光学式記憶媒体ドライブ装置は、光学式記憶媒体のディスクトレイをアンローディングするためのローディング機構制御回路に挿入された操作釦により操作されるイジェクト（アンローディング）スイッチを有するパーソナルコンピュータに内蔵又は外付けされる光学式記憶媒体ドライブ装置において、一対のジャック端子と一対の端子間を橋絡するプラグ式橋絡鍵から成り、ローディング機構制御回路を機能させるための鍵スイッチを、イジェクト（アンローディング）スイッチとは別に設けた。
また、鍵スイッチを、イジェクト（アンローディング）スイッチと直列に設けた。
さらに、鍵スイッチとイジェクト（アンローディング）スイッチを、光学式記憶媒体ドライブ装置本体の側部又は光学式記憶媒体ドライブ装置を内蔵するＰＣの側部に設けた。
さらにまた、鍵スイッチは、光学式記憶媒式体ドライブ装置ごとに異なる構造であるようにした。
【０００８】
【発明の実施の形態】
発明の実施の形態を実施例にもとづき図面を参照して説明する。
図１は、本発明のドライブ装置のローディング機構制御回路の概念図を示し、ローディング機構制御回路にはイジェクトスイッチ２に直列にセキュリティロック用の鍵スイッチ６が設けられている。この鍵スイッチ６は一対のジャック端子４と一対のジャック端子間を橋絡するプラグ式橋絡鍵５より成る。なおこの鍵スイッチ６の構造はドライブ装置ごとに異なるように構成されるのが望ましい。
これにより、ドライブ装置内に挿入されているディスクトレイは、この鍵スイッチ６をオンにしない限りはセキュリティロックされているので、イジェクト操作釦（押釦）３を押してイジェクトスイッチ２をオンにしても、ローディング機構制御部１が機能せず、ローディング機構によりディスクトレイを動かすことができないので、ディスクトレイをドライブ装置から排出することができない。
従って、ディスクトレイに記憶媒体を装填してドライブ装置内の所定位置まで挿入することができないので、ドライブ装置を使用することができず、これにより、記憶媒体に記録（記憶）されている情報を再生することができないし、またＰＣに内蔵されている固定記憶装置に記録（記憶）保存されている情報を記憶媒体にコピー（記録）することができないので、機密漏洩を防止することができる。
なお鍵スイッチ６をオンにしてセキュリティロックを解除すれば、イジェクト操作釦３を押してイジェクトスイッチ２をオンにすることにより、ローディング機構制御部１が機能して、ローディング機構によりディスクトレイを排出方向へ動かすことができ、従来と同様に記憶媒体に記録（記憶）されている情報を再生することができ、またＰＣ内の固定記憶装置に記録（記憶）保存されている情報を記憶媒体にコピー（記録）してドライブ装置外に取り出することができる。
【０００９】
図２は、本発明のドライブ装置がＰＣ７に内蔵されている場合の概略の外観図を示し、イジェクトスイッチ２と鍵スイッチ６はＰＣ７の側部に設けられている。なおドライブ装置がＰＣに外付けされるものである場合には、イジェクトスイッチ２と鍵スイッチ６はドライブ装置の側部に設けられる。
そしてプラグ式橋絡鍵５により一対のジャック端子４間を橋絡することにより鍵スイッチ６がオンになって、セキュリティロックを解除することができる。
【００１０】
【発明の効果】
本発明によれば、ローディング機構制御回路にセキュリティロック用の鍵スイッチを設けることにより、ドライブ装置の使用を制限し、鍵スイッチをオンにしてセキュリティロックを解除しない限りは、記憶媒体に記録（記憶）された情報の再生、記憶媒体への情報のコピー（記録）をできないようにしたので、特にＰＣ内の固定記憶装置に記録（記憶）保存されている機密情報の漏洩を防止することができる。
【図面の簡単な説明】
【図１】本発明の光学式記憶媒体ドライブ装置のローディング機構制御回路の概念図である。
【図２】本発明の光学式記憶媒体ドライブ装置がＰＣに内蔵されている場合の概略の外観図である。
【図３】従来の光学式記憶媒体ドライブ装置のローディング機構制御回路の概念図である。
【図４】従来の光学式記憶媒体ドライブ装置の概略の外観図である。
【符号の説明】
１　光学式記憶媒体ドライブ装置のローディング機構制御部
２　イジェクト（アンローディング）スイッチ
３　イジェクトスイッチ操作釦
４　一対のジャック端子
５　プラグ式橋絡鍵
６　鍵スイッチ
７　光学式記憶媒体ドライブ装置内蔵のＰＣ
８　ディスクトレイ及び記憶媒体挿入・排出口
９　光学式記憶媒体ドライブ装置
【図１】
2004133791.tif 000003
【図２】
2004133791.tif 000004
【図３】
2004133791.tif 000005
【図４】
2004133791.tif 000006